(57)【要約】【課題】能力を要する室内機への能力振り分けが簡便に行える空気調和システムの制御装置を提供することを目的とする。【解決手段】複数の室内機３を備える空気調和システム１の制御装置４０であって、各室内機３の運転能力を再分配する能力振り分けモードが設定されると、各室内機３が設置された居室の各室内温度と室外温度との差である内外温度差をそれぞれ算出し、内外温度差が最小である最小温度差の居室および内外温度差が最大である最大温度差の居室を特定し、最小温度差の居室の室内機３と、最大温度差の居室の室内機３の運転能力を再分配する能力振り分け制御を行う。【選択図】図１
2020098049.tif 000002
【特許請求の範囲】
【請求項１】
複数の室内機を備える空気調和システムの制御装置であって、
各前記室内機の運転能力を再分配する能力振り分けモードが設定されると、
各前記室内機が設置された居室の各室内温度と室外温度との差である内外温度差をそれぞれ算出し、
前記内外温度差が最小である最小温度差の前記居室および前記内外温度差が最大である最大温度差の前記居室を特定し、
前記最小温度差の前記居室の前記室内機と、前記最大温度差の前記居室の前記室内機の前記運転能力を再分配する能力振り分け制御を行う空気調和システムの制御装置。
【請求項２】
前記最小温度差の前記居室における設定温度と前記室内温度との差である設定温度差が第１閾値以下であれば、前記能力振り分け制御を行う請求項１に記載の空気調和システムの制御装置。
【請求項３】
前記能力振り分け制御は、
前記最大温度差の前記居室の前記室内機に対しては、該室内機の前記運転能力の最大値を振り分け、
前記最小温度差の前記居室の前記室内機に対しては、前記最大温度差の前記居室の前記室内機の前記運転能力の前記能力振り分け制御前に対する増分を低減した前記運転能力を振り分ける請求項１または請求項２に記載の空気調和システムの制御装置。
【請求項４】
前記能力振り分け制御は、各前記室内機に備えられる各室内膨張弁の開度を調整することで該室内機の前記運転能力を制御する請求項１から請求項３のいずれか１項に記載の空気調和システムの制御装置。
【請求項５】
前記能力振り分けモードは、全ての前記室内機が要求する要求能力の和が、前記空気調和システムに備えられた室外機の最高能力を上回る場合に設定される請求項１から請求項４のいずれか１項に記載の空気調和システムの制御装置。
【請求項６】
前記能力振り分け制御中において、前記最大温度差の前記居室の前記室内温度が所定時間以内に前記設定温度に到達する、または、前記最小温度差の前記居室の前記室内温度と前記設定温度との差が前記第１閾値よりも大きい第２閾値以上となると、前記能力振り分け制御が停止される請求項２から請求項５のいずれか１項に記載の空気調和システムの制御装置。
【請求項７】
前記最小温度差の前記居室の前記室内温度と前記設定温度との差が前記第２閾値より小さい場合、暖房運転においては前記室内機のファンを弱設定で運転する、または、前記室内機を停止し、冷房運転においては前記室内機の前記ファンを設定値で運転する請求項６に記載の空気調和システムの制御装置。
【請求項８】
複数の室内機と、
請求項１から請求項７のいずれか１項に記載の制御装置と、
を備えた、空気調和システム。
【請求項９】
複数の室内機を備える空気調和システムの制御方法であって、
各前記室内機の運転能力を再分配する能力振り分けモードが設定される工程と、
各前記室内機が設置された居室の各室内温度と室外温度との差である内外温度差をそれぞれ算出する工程と、
前記内外温度差が最小である最小温度差の前記居室および前記内外温度差が最大である最大温度差の前記居室を特定する工程と、
前記最小温度差の前記居室の前記室内機と、前記最大温度差の前記居室の前記室内機の前記運転能力を再分配する能力振り分け工程とを有する空気調和システムの制御方法。
【請求項１０】
複数の室内機を備える空気調和システムの制御プログラムであって、
各前記室内機の運転能力を再分配する能力振り分けモードが設定されるステップと、
各前記室内機が設置された居室の各室内温度と室外温度との差である内外温度差をそれぞれ算出するステップと、
前記内外温度差が最小である最小温度差の前記居室および前記内外温度差が最大である最大温度差の前記居室を特定するステップと、
前記最小温度差の前記居室の前記室内機と、前記最大温度差の前記居室の前記室内機の前記運転能力を再分配する能力振り分け制御ステップとを有する空気調和システムの制御プログラム。
【発明の詳細な説明】
【技術分野】
【０００１】
本開示は、空気調和システムの制御装置、空気調和システム、空気調和システムの制御方法および空気調和システムの制御プログラムに関するものである。
【背景技術】
【０００２】
複数台の室内機を接続する室外機を備える空気調和システムにおいては、全ての室内機の能力の和が室外機の最大能力を超えて設置されることが一般的である。このような空気調和システムでは、運転中の室内機の能力の和が室外機の最大能力を超える場合、制御により各室内機に優先順位を設けて優先度の高い室内機に能力を分配することが行われている。
【０００３】
例えば、特許文献１には、各室内機に優先順位を設定し、運転している室内機の能力を優先順位順に足し合わせ、その和が室外機の能力を超えないように制御されることが開示されている。
また特許文献２には、運転中の室内機の能力の和が室外機の最大能力を超える場合、予め選定した優先室内機以外の他の室内機の設定室温を調整するなど、他の室内機への冷媒流量を低減して優先室内機へ優先的に冷媒を供給することが開示されている。
【先行技術文献】
【特許文献】
【０００４】
【特許文献１】特開昭６３−２０７９４４号公報
【特許文献２】特開平８−２７１０１７号公報
【発明の概要】
【発明が解決しようとする課題】
【０００５】
しかしながら、上記特許文献１及び２に開示された発明では、予め優先順位を設けるため、室内及び室外環境の変化やユーザの所望する温度環境への対応が柔軟に行えないという問題があった。また、上記特許文献１では、優先順位をリモコンによる設定で変更が可能であるが、ユーザによる操作を要し煩雑であるという問題があった。さらに、優先順位の高い室内機の設置された居室が所望の環境となった後、他の室内機に対する制御の検討がなされていなかった。
【０００６】
本開示は、このような事情に鑑みてなされたものであって、能力を要する室内機への能力振り分けが簡便に行える空気調和システムの制御装置、空気調和システム、空気調和システムの制御方法および空気調和システムの制御プログラムを提供することを目的とする。
【課題を解決するための手段】
【０００７】
上記課題を解決するために、本開示の空気調和システムの制御装置、空気調和システム、空気調和システムの制御方法および空気調和システムの制御プログラムは以下の手段を採用する。
本開示の幾つかの実施形態における一態様に係る空気調和システムの制御装置は、複数の室内機を備える空気調和システムの制御装置であって、各前記室内機の運転能力を再分配する能力振り分けモードが設定されると、各前記室内機が設置された居室の各室内温度と室外温度との差である内外温度差をそれぞれ算出し、前記内外温度差が最小である最小温度差の前記居室および前記内外温度差が最大である最大温度差の前記居室を特定し、前記最小温度差の前記居室の前記室内機と、前記最大温度差の前記居室の前記室内機の前記運転能力を再分配する能力振り分け制御を行う。
【０００８】
各室内機の運転能力を再分配する能力振り分けモードが設定されると、各室内機が設置された居室の各室内温度と室外温度との差である内外温度差をそれぞれ算出し、内外温度差が最小である最小温度差の居室および内外温度差が最大である最大温度差の居室を特定し、最小温度差の居室の室内機と、最大温度差の居室の室内機の運転能力を再分配する能力振り分け制御を行う。
これにより、本態様によれば、室内温度と室外温度との差が大きく能力を必要とする室内機に対し、室内温度と室外温度との差が小さく能力を比較的必要としない室内機の余剰能力を分配することができる。そのため、能力を必要とする室内機が設置された居室を所望の温度環境に早急に近づけることができる。
【０００９】
上記態様では、前記最小温度差の前記居室における設定温度と前記室内温度との差である設定温度差が第１閾値以下であれば、前記能力振り分け制御を行うとしてもよい。
【００１０】
本態様によれば、最小温度差の居室における設定温度と室内温度との差である設定温度差が第１閾値以下であれば、能力振り分け制御を行うことから、最小温度差の居室の設定温度差が小さく、所望の温度環境に近い場合は、最小温度差の居室の室内機の余剰能力を他に分配することができる。また、最小温度差の居室の設定温度差が大きく、室内機の能力を必要とする場合は、能力を他に分配することなく引き続き室内機を運転することができる。
【００１１】
上記態様では、前記能力振り分け制御は、前記最大温度差の前記居室の前記室内機に対しては、該室内機の前記運転能力の最大値を振り分け、前記最小温度差の前記居室の前記室内機に対しては、前記最大温度差の前記居室の前記室内機の前記運転能力の前記能力振り分け制御前に対する増分を低減した前記運転能力を振り分けるとしてもよい。
【００１２】
能力振り分け制御は、最大温度差の居室の室内機に対しては、室内機の運転能力の最大値を振り分け、最小温度差の居室の室内機に対しては、最大温度差の居室の室内機の運転能力の能力振り分け制御前に対する増分を低減した運転能力を振り分ける。
室内機の能力は、一般的に定格能力が設けられているが、実際の運転能力はそれよりも大きくすることができる。すなわち室内機の最大能力は、定格能力よりも大きい値である。
本態様によれば、能力振り分け制御では、最大温度差の居室の室内機に対し、その室内機の最大能力を振り分け、最小温度差の居室の室内機に対し、最大温度差の室内機の制御前の運転能力から最大能力へ増加した増分の分だけ能力を低減した運転能力を振り分けることで、最小温度差の室内機の余剰能力を最大温度差の室内機へ分配することができる。最大温度差の室内機は最大能力で運転することから、室内機が設置された居室を所望の温度環境に早急に近づけることができる。
【００１３】
上記態様では、前記能力振り分け制御は、各前記室内機に備えられる各室内膨張弁の開度を調整することで該室内機の前記運転能力を制御するとしてもよい。
【００１４】
本態様によれば、能力振り分け制御は、各室内機に備えられる各室内膨張弁の開度を調整することで室内機の運転能力を制御することから、簡便に運転能力の分配を行うことができる。
【００１５】
上記態様では、前記能力振り分けモードは、全ての前記室内機が要求する要求能力の和が、前記空気調和システムに備えられた室外機の最高能力を上回る場合に設定されるとしてもよい。
【００１６】
能力振り分けモードは、全ての室内機が要求する要求能力の和が、空気調和システムに備えられた室外機の最高能力を上回る場合に設定される。
一般的に、各室内機の要求する要求能力の和が室外機の最高能力を上回ると、運転能力が定格能力の比で分配されない場合がある。この時、各室内機は所望の運転能力を得ることができず、各居室は、冷房運転ならば過冷や不冷となる虞がある。
そこで、各室内機の要求する要求能力の和が室外機の最高能力を上回る場合は、能力振り分けモードを設定することにより、内外温度差が大きく能力を必要とする室内機に対し、内外温度差が小さく能力を比較的必要としない室内機の余剰能力を分配することができる。そのため、能力を必要とする室内機が設置された居室を所望の温度環境に早急に近づけ、冷房運転ならば過冷や不冷、暖房運転ならば過暖や不暖を防ぐことができる。
【００１７】
上記態様では、前記能力振り分け制御中において、前記最大温度差の前記居室の前記室内温度が所定時間以内に前記設定温度に到達する、または、前記最小温度差の前記居室の前記室内温度と前記設定温度との差が前記第１閾値よりも大きい第２閾値以上となると、前記能力振り分け制御が停止されるとしてもよい。
【００１８】
能力振り分け制御中において、最大温度差の居室の室内温度が所定時間以内に設定温度に到達する、または、最小温度差の居室の室内温度と設定温度との差が第１閾値よりも大きい第２閾値以上となると、能力振り分け制御が停止される。
これにより、本態様によれば、最大温度差の居室の室内機が最大能力で運転されることで設定温度に所定時間内で到達するか、最小温度差の居室の室内機が運転能力を抑えて運転されることで室内温度が設定温度から乖離すると、能力振り分けを必要としないとして、能力振り分け制御を停止して、通常の運転に戻すことができる。
【００１９】
上記態様では、前記最小温度差の前記居室の前記室内温度と前記設定温度との差が前記第２閾値より小さい場合、暖房運転においては前記室内機のファンを弱設定で運転する、または、前記室内機を停止し、冷房運転においては前記室内機の前記ファンを設定値で運転するとしてもよい。
【００２０】
最小温度差の居室の室内温度と設定温度との差が第２閾値より小さい場合、暖房運転においては室内機のファンを弱設定で運転する、または、室内機を停止し、冷房運転においては室内機のファンを設定値で運転する。
これにより、本態様によれば、最小温度差の居室の室内温度と設定温度との差が第２閾値より小さく、運転能力を抑えて運転しても設定温度に近い温度の場合は、暖房運転ならばファンを弱設定で運転するか、室内機を停止することで能力を必要としない運転を行うことができる。暖房運転の場合は、ファンの運転のみを行うと室温が下がりやすく、またユーザが寒さを感じやすい。よって、ファンは弱運転とするか、あるいは室内機の運転を停止する。一方、冷房運転の場合は、リモコン等で設定された風量のまま、ファンの運転を行うことで温度を上がりにくくしながら能力を必要としない運転を行うことができる。
【００２１】
本開示の幾つかの実施形態における一態様に係る空気調和システムは、複数の室内機と、前述のいずれかに記載の制御装置と、を備える。
【００２２】
本開示の幾つかの実施形態における一態様に係る空気調和システムの制御方法は、複数の室内機を備える空気調和システムの制御方法であって、各前記室内機の運転能力を再分配する能力振り分けモードが設定される工程と、各前記室内機が設置された居室の各室内温度と室外温度との差である内外温度差をそれぞれ算出する工程と、前記内外温度差が最小である最小温度差の前記居室および前記内外温度差が最大である最大温度差の前記居室を特定する工程と、前記最小温度差の前記居室の前記室内機と、前記最大温度差の前記居室の前記室内機の前記運転能力を再分配する能力振り分け工程とを有する。
【００２３】
本開示の幾つかの実施形態における一態様に係る空気調和システムの制御プログラムは、複数の室内機を備える空気調和システムの制御プログラムであって、各前記室内機の運転能力を再分配する能力振り分けモードが設定されるステップと、各前記室内機が設置された居室の各室内温度と室外温度との差である内外温度差をそれぞれ算出するステップと、前記内外温度差が最小である最小温度差の前記居室および前記内外温度差が最大である最大温度差の前記居室を特定するステップと、前記最小温度差の前記居室の前記室内機と、前記最大温度差の前記居室の前記室内機の前記運転能力を再分配する能力振り分け制御ステップとを有する。
【発明の効果】
【００２４】
本開示によれば、能力を必要とする室内機に対し能力を振り分けるので、能力を必要とする室内機が設置された居室を所望の温度環境に早急に近づけることができる。
【図面の簡単な説明】
【００２５】
【図１】幾つかの実施形態に係る空気調和システムの一態様を示した概略構成図である。
【図２】幾つかの実施形態に係る空気調和システムの制御の一態様を示したフローチャートである。
【図３】幾つかの実施形態に係る空気調和システムの暖房時の能力振り分け制御の一態様を示したフローチャートである。
【図４】幾つかの実施形態に係る空気調和システムの冷房時の能力振り分け制御の一態様を示したフローチャートである。
【発明を実施するための形態】
【００２６】
以下に、本開示の幾つかの実施形態に係る空気調和システムの制御装置、空気調和システム、空気調和システムの制御方法および空気調和システムの制御プログラムの各実施形態について、図面を参照して説明する。
図１には、本開示の幾つかの実施形態に係る空気調和システムの一態様の概略構成が示されている。
【００２７】
マルチ型空気調和システム（空気調和システム）１は、１台の室外機２に、複数台の室内機３Ａ，３Ｂが並列に接続されたものである。複数台の室内機３Ａ，３Ｂは、室外機２に接続されているガス側配管４と液側配管５との間に分岐器６を介して互いに並列に接続されている。本実施形態においては、複数台の室内機は２台である場合を例に挙げて説明するが、室内機の台数は複数であればよく、特に限定されない。
なお、以下において特に区別しない場合、室内機は室内機３と示す。
【００２８】
室外機２は、冷媒を圧縮するインバータ駆動の圧縮機１０と、冷媒の循環方向を切換える四方切換弁１２と、冷媒と外気とを熱交換させる室外熱交換器２０とを備えている。
室外機２側の上記各機器は、冷媒配管２２を介して順次接続され、公知の室外側冷媒回路を構成している。また、室外機２には、室外熱交換器２０に対して外気を送風する室外ファン２４が設けられている。
【００２９】
ガス側配管４及び液側配管５は、室外機２に接続される冷媒配管であり、現場での据え付け施工時に、室外機２とそれに接続される複数台の室内機３Ａ，３Ｂとの間の距離に応じて、その配管長が適宜設定される。ガス側配管４及び液側配管５の途中には、複数の分岐器６が設けられ、該分岐器６を介して適宜台数の室内機３Ａ，３Ｂが接続されている。これによって、密閉された１系統の冷凍サイクル（冷媒回路）７が構成されている。
【００３０】
また、室外機２は、室外温度センサ５０を備えている。
室外温度センサ５０は、室外機２の設置された室外の室外温度を検出する。
室外温度センサ５０で検知された室外温度の情報は、制御装置４０（詳細は後述する）に出力される。
【００３１】
室内機３Ａ，３Ｂは、室内空気を冷媒と熱交換させて冷却又は加熱し、室内の空調に供する室内熱交換器３０と、室内膨張弁（ＥＥＶＣ）３１と、室内熱交換器３０を介して室内空気を循環させる室内ファン（ファン）３２と、室内コントローラ３９とを備えており、室内側の分岐ガス側配管４Ａ，４Ｂ及び分岐液側配管５Ａ，５Ｂを介して分岐器６に接続されている。
【００３２】
また、室内機３Ａ，３Ｂは、室内温度センサ９０を備えている。
室内温度センサ９０は、室内機３Ａ，３Ｂが設置された居室の室内温度を検出する。
室内温度センサ９０で検知された室内温度の情報は、それぞれ対応する室内機３Ａ，３Ｂの室内コントローラ３９を介して制御装置４０（詳細は後述する）に出力される。
【００３３】
またユーザは、各居室の所望する温度（設定温度）をリモコンを用いて設定する。この設定温度についても、それぞれ対応する室内機３Ａ，３Ｂの室内コントローラ３９を介して制御装置４０（詳細は後述する）に出力される。
【００３４】
上記のマルチ型空気調和システム１において、暖房運転は、以下のように行われる。暖房運転時の冷媒の流れを図１の破線矢印で示している。
圧縮機１０により圧縮され、吐出された高温高圧の冷媒ガスは、ガス側配管４を経て室外機２から導出され、分岐器６、室内側の分岐ガス側配管４Ａ，４Ｂを経て複数台の室内機３Ａ，３Ｂに導入される。
【００３５】
室内機３Ａ，３Ｂに導入された高温高圧の冷媒ガスは、室内熱交換器３０で室内ファン３２を介して循環される室内空気と熱交換され、これにより加熱された室内空気は室内に吹出されて暖房に供される。一方、室内熱交換器３０で凝縮液化された冷媒は、室内膨張弁３１、分岐液側配管５Ａ，５Ｂを経て分岐器６に至り、他の室内機からの冷媒と合流され、液側配管５を経て室外機２に戻る。なお、暖房時、室内機３Ａ，３Ｂでは、凝縮器として機能する室内熱交換器３０に流入される冷媒流量が制御目標値となるように、室内膨張弁３１の開度が制御される。
【００３６】
室外機２に戻った冷媒は、室外熱交換器２０に流入される。
室外熱交換器２０では、室外ファン２４から送風される外気と冷媒とが熱交換され、冷媒は外気から吸熱して蒸発ガス化される。この冷媒は、室外熱交換器２０から四方切換弁１２を経て、圧縮機１０に吸入され、圧縮機１０において再び圧縮される。以上のサイクルを繰り返すことによって暖房運転が行われる。
【００３７】
一方、冷房運転は、以下のように行われる。冷房運転時の冷媒の流れを図１の実線矢印で示している。
圧縮機１０で圧縮され、吐出された高温高圧の冷媒ガスは、四方切換弁１２により室外熱交換器２０側に循環され、室外熱交換器２０で室外ファン２４により送風される外気と熱交換されて凝縮液化され液冷媒となる。
【００３８】
この液冷媒は、室外機２から液側配管５へと導かれ、分岐器６を介して各室内機３Ａ，３Ｂの分岐液側配管５Ａ，５Ｂへと分流される。
【００３９】
分岐液側配管５Ａ，５Ｂに分流された液冷媒は、各室内機３Ａ，３Ｂに流入し、室内膨張弁３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００４０】
ガス側配管４で合流された冷媒ガスは、再び室外機２に戻り、四方切換弁１２を経て、圧縮機１０に吸入される。この冷媒は、圧縮機１０において再び圧縮され、以上のサイクルを繰り返すことによって冷房運転が行われる。
【００４１】
マルチ型空気調和システム１は、制御装置４０を備えている。
制御装置４０は、例えば、ＣＰＵ（Central  Processing  Unit）、ＲＡＭ（Random  Access  Memory）、ＲＯＭ（Read  Only  Memory）、及びコンピュータ読み取り可能な非一時的な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
制御装置４０は、室外機２に備えられているとする。
【００４２】
例えば、図１のマルチ型空気調和システム１において、室外機２の最大能力が９．０ｋＷ、室内機３Ａの定格能力が２．５ｋＷ、室内機３Ｂの定格能力が７．１ｋＷであるとする。室内機３Ａ及び３Ｂの定格能力の和９．６ｋＷに対し、室外機２の最大能力９．０ｋＷの方が値が小さい状態を例とする。
従来の制御では、室内機３Ａ及び３Ｂがそれぞれ定格能力に対応する要求能力を室外機２に要求した場合、室内機３Ａ及び３Ｂの各室内熱交換器３０の容量、風量、室内膨張弁３１の開度および圧縮機１０の能力等に基づき冷媒流量が分配され、圧縮機１０が最大能力の場合、９．０ｋＷの能力は、例えば室内機３Ａへ４ｋＷ程度、室内機３Ｂへ５ｋＷ程度それぞれ分配される。このように、実際に分配される能力が定格能力の比とは異なるため、冷房運転の場合は室内機３Ａが設置された居室は過冷となり、室内機３Ｂが設置された居室は不冷となり、ユーザが想定する定格能力に見合った能力を提供できていなかった。
【００４３】
そこで、本実施形態では、能力振り分け制御により、能力が必要な居室の室内機への能力の振り分けを行うものとする。
図２には、本開示の幾つかの実施形態に係る空気調和システムの制御の一態様のフローチャートが示されている。
まず、能力振り分けモードが設定される（Ｓ２０１）。たとえば、能力振り分けモードは、運転中の各室内機３の要求能力が、室外機２の最大能力を上回る場合に設定されるとしてもよい。また、能力振り分けモードの実施有無については、ユーザによる設定がリモコンなどを介して行われてもよいし、設置時に制御装置に対し予め行われていてもよい。
制御装置４０は、各室内機３に設けられた室内膨張弁３１の開度を調整することで、能力の振り分けを行う。
【００４４】
能力振り分けモードが設定されると、制御装置４０は、各室内温度センサ９０が検知した室内温度と、室外温度センサ５０が検知した室外温度との差（内外温度差）を、運転中の室内機３を有する各居室ごとに算出する（Ｓ２０２）。
【００４５】
次に、制御装置４０は、Ｓ２０２で算出した各居室の内外温度差のうち、最も大きい内外温度差（最大温度差）の居室および最も小さい内外温度差（最少温度差）の居室を特定する（Ｓ２０３）。ここで、内外温度差の最大温度差をΔＴｍａｘ、最小温度差をΔＴｍｉｎとする。本実施形態では、例えば室内機３Ａを有する居室Ａの内外温度差がΔＴｍｉｎ、室内機３Ｂを有する居室Ｂの内外温度差がΔＴｍａｘであるとする。
【００４６】
次に、制御装置４０は、最小温度差ΔＴｍｉｎの居室Ａにおいて、ユーザが設定した設定温度と室内温度との差（設定温度差）の絶対値が、第１閾値以下か否かを判定する（Ｓ２０４）。第１閾値は、最小温度差の居室Ａの実際の室内温度が、ユーザの所望する設定温度に近いか否かを判定するために設けられた値であり、例えば３℃（すなわち、±３℃以内）が設定される。
【００４７】
ステップＳ２０４において、設定温度差の絶対値が第１閾値以下であると判定される場合は、最小温度差の居室Ａの実際の室内温度がユーザの所望する設定温度に近いため、他の室内機３へ能力を振り分け可能であると判断できるため、ステップＳ２０５へ遷移し、能力振り分け制御を実行する。
一方、ステップＳ２０４において、設定温度差の絶対値が第１閾値より大きいと判定される場合は、最小温度差の居室Ａの実際の室内温度がユーザの所望する設定温度には到達していないとして、引き続き現在の能力のまま運転を行うとしてステップＳ２０２へ戻る。
【００４８】
〔暖房運転時の能力振り分け制御〕
図３には、本開示の幾つかの実施形態に係る空気調和システムの暖房時の能力振り分け制御の一態様のフローチャートが示されている。
暖房時に、図２のステップＳ２０４において設定温度差の絶対値が第１閾値以下であると判定されると、能力振り分け制御が実行される（図２のＳ２０５）。
能力振り分け制御が実行されると、最大温度差ΔＴｍａｘの居室Ｂの室内機３Ｂに対し、最大能力が振り分けられる（Ｓ３０１）。
ここで、室内機３の最大能力は、前述した定格能力とは異なる値である。室内機３の定格能力は、ある定められた条件下で計測された能力を示す値である。一方、室内機３は、室内熱交換器３０などを最大能力で運転することで、定格能力よりも値の大きい最大値の能力（最大能力）を出力することができる。例えば、室内機３Ｂの定格能力が７．１ｋＷであるのに対し、室内機３Ｂの最大能力は８．０ｋＷであるとする。
この場合、ステップＳ３０１では、室内機３Ｂに対し、８．０ｋＷの能力が振り分けられるとする。
【００４９】
次に、制御装置４０は、居室Ｂの室内温度が、所定時間以内にユーザが設定した設定温度に到達したか否かを判定する（Ｓ３０２）。
まず制御装置４０は、居室Ｂの室内温度が設定温度に到達するまで所定時間（例えば３０分）の間、室内機３Ｂに最大能力を振り分ける。居室Ｂの室内温度が所定時間以内に設定温度に到達した場合は、ステップＳ３０２の判定はＹであるとして、ステップＳ３０３へ遷移する。
一方、所定時間以内に室内温度が設定温度に到達しなかった場合は、再度能力の振り分けが可能かどうかを判定するため、Ｘへ遷移し、図２のステップＳ２０４へ戻る。
【００５０】
ステップＳ３０２において、居室Ｂの室内温度が所定時間以内に設定温度に到達した場合は、居室Ｂの室内機３Ｂへの能力の振り分けを停止してもよいとして、能力振り分け制御を停止し（Ｓ３０３）、Ｙへ遷移して図２のステップＳ２０２へ戻る。
【００５１】
一方、能力振り分け制御が実行されると、最小温度差ΔＴｍｉｎの居室Ａの室内機３Ａに対し、最大温度差ΔＴｍａｘの居室Ｂの室内機３Ｂの能力振り分け制御前の運転能力から最大能力へ増加した増分の分だけ能力を低減した運転能力が振り分けられる（Ｓ３０４）。本実施形態の場合は、室内機３Ｂの制御前の運転能力５．０ｋＷが最大能力８．０ｋＷへ増加しその増分は３．０ｋＷである。よって室内機３Ａの運転能力は、能力振り分け制御前の運転能力４．０ｋＷから３．０ｋＷを低減した１．０ｋＷとなる。
また室外機２の最大能力を分配する場合は、次のように分配するとしてもよい。例えば室外機２の最大能力から最大温度差ΔＴｍａｘの居室Ｂの室内機３Ｂに振り分けられた能力を差し引いた残りの能力が振り分けられる（Ｓ３０４）。本実施形態の場合は、室外機２の最大能力９．０ｋＷから室内機３Ｂに振り分けられた能力８．０ｋＷを差し引いた残りの１．０ｋＷが振り分けられることになる。
室内機３Ａは、定格能力２．５ｋＷに対し１．０ｋＷの能力の分配となり、室内温度は設定温度から徐々に乖離することとなる。
【００５２】
次に制御装置４０は、居室Ａの設定温度と室内温度との差（設定温度差）が第２閾値より小さいか否かを判定する（Ｓ３０５）。第２閾値は、最小温度差の居室Ａの実際の室内温度に対し、設定温度からの乖離を許容する限界値を示す値であり、例えば５℃が設定される。
【００５３】
ステップＳ３０５において、設定温度差が第２閾値より小さいと判定される場合は、居室Ａの実際の室内温度が設定温度からの乖離の限界値を超えていないと判断できるため、ステップＳ３０６へ遷移し、室内機３Ａの室内ファン３２を弱風量で運転する、または、室内機３Ａを停止する。ステップＳ３０６で設定が変更されると、ステップＳ３０５へ戻り、居室Ａの室内温度が設定温度から乖離していると判断されるまで判定を行う。
【００５４】
一方、ステップＳ３０５において、設定温度差が第２閾値以上であると判定される場合は、居室Ａの実際の室内温度が設定温度から大きく乖離し、室内の温度環境が悪化していると判断できるため、ステップＳ３０３へ遷移し、能力振り分け制御を停止する。
能力振り分け制御が停止されると、Ｙへ遷移して図２のステップＳ２０２へ戻る。
【００５５】
〔冷房運転時の能力振り分け制御〕
図４には、本開示の幾つかの実施形態に係る空気調和システムの冷房時の能力振り分け制御の一態様のフローチャートが示されている。
冷房時に、図２のステップＳ２０４において設定温度差の絶対値が第１閾値以下であると判定されると、能力振り分け制御が実行される（図２のＳ２０５）。
能力振り分け制御が実行されると、最大温度差ΔＴｍａｘの居室Ｂの室内機３Ｂに対し、最大能力が振り分けられる（Ｓ４０１）。ここで、室内機３の最大能力は、前述した定格能力とは異なる値である。室内機３の定格能力は、ある定められた条件下で計測された能力を示す値である。一方、室内機３は、室内熱交換器３０などを最大能力で運転することで、定格能力よりも値の大きい最大値の能力（最大能力）を出力することができる。例えば、室内機３Ｂの定格能力が７．１ｋＷに対し、最大能力は８．０ｋＷであるとする。
この場合、ステップＳ４０１では、室内機３Ｂに対し、８．０ｋＷの能力が振り分けられるとする。
【００５６】
次に、制御装置４０は、居室Ｂの室内温度が、所定時間以内にユーザが設定した設定温度に到達したか否かを判定する（Ｓ４０２）。
制御装置４０は、居室Ｂの室内温度が設定温度に到達するまで所定時間（例えば３０分）の間、室内機３Ｂに最大能力を振り分ける。居室Ｂの室内温度が所定時間以内に設定温度に到達した場合は、ステップＳ４０２の判定はＹであるとして、ステップＳ４０３へ遷移する。
一方、所定時間以内に室内温度が設定温度に到達しなかった場合は、再度能力の振り分けが可能かどうかを判定するため、Ｘへ遷移し、図２のステップＳ２０４へ戻る。
【００５７】
ステップＳ４０２において、居室Ｂの室内温度が所定時間以内に設定温度に到達した場合は、居室Ｂへの能力の振り分けを停止してもよいとして、能力振り分け制御を停止し（Ｓ４０３）、Ｙへ遷移して図２のステップＳ２０２へ戻る。
【００５８】
一方、能力振り分け制御が実行されると、最小温度差ΔＴｍｉｎの居室Ａの室内機３Ａに対し、最大温度差ΔＴｍａｘの居室Ｂの室内機３Ｂの能力振り分け制御前の運転能力から最大能力へ増加した増分の分だけ能力を低減した運転能力が振り分けられる（Ｓ４０４）。本実施形態の場合は、室内機３Ｂの制御前の運転能力５．０ｋＷが最大能力８．０ｋＷへ増加しその増分は３．０ｋＷである。よって室内機３Ａの運転能力は、能力振り分け制御前の運転能力４．０ｋＷから３．０ｋＷを低減した１．０ｋＷとなる。
また室外機２の最大能力を分配する場合は、次のように分配するとしてもよい。例えば室外機２の最大能力から最大温度差ΔＴｍａｘの居室Ｂの室内機３Ｂに振り分けられた能力を差し引いた残りの能力が振り分けられる（Ｓ４０４）。本実施形態の場合は、室外機２の最大能力９．０ｋＷから室内機３Ｂに振り分けられた能力８．０ｋＷを差し引いた残りの１．０ｋＷが振り分けられることになる。
室内機３Ａは、定格能力２．５ｋＷに対し１．０ｋＷの能力の分配となり、室内温度は設定温度から徐々に乖離することとなる。
【００５９】
次に制御装置４０は、居室Ａの室内温度と設定温度との差（設定温度差）が第２閾値より小さいか否かを判定する（Ｓ４０５）。第２閾値は、最小温度差の居室Ａの実際の室内温度に対し、設定温度からの乖離を許容する限界値を示す値であり、例えば５℃が設定される。
【００６０】
ステップＳ４０５において、設定温度差が第２閾値より小さいと判定される場合は、居室Ａの実際の室内温度が設定温度からの乖離の限界値を超えていないと判断できるため、ステップＳ４０６へ遷移し、室内機３Ａの室内ファン３２をユーザによって設定された設定風量で運転する。ステップＳ４０６で設定が変更されると、ステップＳ４０５へ戻り、居室Ａの室内温度が設定温度から乖離していると判断されるまで判定を行う。
【００６１】
一方、ステップＳ４０５において、設定温度差が第２閾値以上であると判定される場合は、居室Ａの実際の室内温度が設定温度から大きく乖離し、室内の温度環境が悪化していると判断できるため、ステップＳ４０３へ遷移し、能力振り分け制御を停止する。
能力振り分け制御が停止されると、Ｙへ遷移して図２のステップＳ２０２へ戻る。
【００６２】
以上、説明してきたように、本実施形態に係る空気調和システムの制御装置、空気調和システム、空気調和システムの制御方法および空気調和システムの制御プログラムによれば、以下の作用効果を奏する。
本態様によれば、室内温度と室外温度との差が大きく能力を必要とする室内機３に対し、室内温度と室外温度との差が小さく能力を比較的必要としない室内機３の余剰能力を分配することができる。そのため、能力を必要とする室内機３が設置された居室を所望の温度環境に早急に近づけることができる。
【００６３】
また本態様によれば、最小温度差の居室における設定温度と室内温度との差である設定温度差が第１閾値以下であれば、能力振り分け制御を行うことから、最小温度差の居室の設定温度差が小さく、所望の温度環境に近い場合は、最小温度差の居室の室内機３の余剰能力を他に分配することができる。また、最小温度差の居室の設定温度差が大きく、室内機３の能力を必要とする場合は、能力を他に分配することなく引き続き室内機３を運転することができる。
【００６４】
また本態様によれば、能力振り分け制御では、最大温度差の居室の室内機３に対し、その室内機３の最大能力を振り分け、最小温度差の居室の室内機３に対し、最大温度差の室内機３の制御前の運転能力から最大能力へ増加した増分の分だけ能力を低減した運転能力を振り分けることで、最小温度差の室内機３の余剰能力を最大温度差の室内機３へ分配することができる。最大温度差の室内機３は最大能力で運転することから、その室内機３が設置された居室を所望の温度環境に早急に近づけることができる。
【００６５】
また本態様によれば、能力振り分け制御は、各室内機３に備えられる各室内膨張弁３１の開度を調整することで室内機３の運転能力を制御することから、簡便に運転能力の分配を行うことができる。
【００６６】
能力振り分けモードは、全ての室内機３が要求する要求能力の和が、マルチ型空気調和システム１に備えられた室外機２の最高能力を上回る場合に設定される。
一般的に、各室内機３の要求する要求能力の和が室外機２の最高能力を上回ると、運転能力が定格能力の比で分配されない場合がある。この時、各室内機３は所望の運転能力を得ることができず、各居室は、冷房運転ならば過冷や不冷となる虞がある。
そこで、各室内機３の要求する要求能力の和が室外機２の最高能力を上回る場合は、能力振り分けモードを設定することにより、内外温度差が大きく能力を必要とする室内機３に対し、内外温度差が小さく能力を比較的必要としない室内機３の余剰能力を分配することができる。そのため、能力を必要とする室内機３が設置された居室を所望の温度環境に早急に近づけ、冷房運転ならば過冷や不冷、暖房運転ならば過暖や不暖を防ぐことができる。
【００６７】
また能力振り分け制御中において、最大温度差の居室の室内温度が所定時間以内に設定温度に到達する、または、最小温度差の居室の室内温度と設定温度との差が第１閾値よりも大きい第２閾値以上となると、能力振り分け制御が停止される。
これにより、本態様によれば、最大温度差の居室の室内機３が最大能力で運転されることで設定温度に所定時間内で到達するか、最小温度差の居室の室内機３が運転能力を抑えて運転されることで室内温度が設定温度から乖離すると、能力振り分けを必要としないとして、能力振り分け制御を停止して、通常の運転に戻すことができる。
【００６８】
また最小温度差の居室の室内温度と設定温度との差が第２閾値より小さい場合、暖房運転においては室内機３の室内ファン３２を弱設定で運転する、または、室内機３を停止し、冷房運転においては室内機３の室内ファン３２を設定値で運転する。
これにより、本態様によれば、最小温度差の居室の室内温度と設定温度との差が第２閾値より小さく、運転能力を抑えて運転しても設定温度に近い温度の場合は、暖房運転ならば室内ファン３２を弱設定で運転するか、室内機３を停止することで能力を必要としない運転を行うことができる。暖房運転の場合は、室内ファン３２の運転のみを行うと室温が下がりやすく、またユーザが寒さを感じやすい。よって、室内ファン３２は弱運転とするか、あるいは室内機３の運転を停止する。一方、冷房運転の場合は、リモコン等で設定された風量のまま、室内ファン３２の運転を行うことで温度を上がりにくくしながら能力を必要としない運転を行うことができる。
【符号の説明】
【００６９】
１  マルチ型空気調和システム（空気調和システム）
２  室外機
３、３Ａ、３Ｂ  室内機
２０  室外熱交換器
３０  室内熱交換器
３１  室内膨張弁
３２  室内ファン（ファン）
３９  室内コントローラ
４０  制御装置
５０  室外温度センサ
９０  室内温度センサ
【図１】
2020098049.tif 000003
【図２】
2020098049.tif 000004
【図３】
2020098049.tif 000005
【図４】
2020098049.tif 000006